(57)【要約】      （修正有）【課題】ＶｏＩＰクライエントとの双方向処理のためパソコンへの接続を提供する電話ハンドセットに関し、ソフトフォンアプリケーションへの接続を維持しながらユーザーに機動性と快適なインターフェースを与えるシステムを提供する。【解決手段】プロバイダーと通信状態にあるインターネットインターフェースデバイスにて作動するソフトフォンアプリケーションによって運用できる通信デバイスでユーザーコンタクトがオンライン状態であるアラートを発生させる。通信デバイスは可視、可聴アラート発生手段を備えた電話型ハンドセットを有し、キーパッドと、ユーザーコンタクトリストを表示するディスプレーを含む。各プロバイダーのコンタクトリストはモニターされ、オンライン状態にある特定のコンタクトが発見される。視覚、音声アラートはユーザーが指定した新規オンラインコンタクトのために創出される。ユーザーはアラートのパラメータを指定できる。【選択図】  図１
2007325243.tif 000002
【特許請求の範囲】
【請求項１】
キーパッドと、ソフトフォンアプリケーションで創出されるコンタクトリストを表示するディスプレーとを含んだ電話型ハンドセットを有したインターネットインターフェースデバイスで作動するソフトウェアアプリケーションで運用される通信デバイスで使用するステータスアラートシステムであって、
a)ユーザー知覚アラートを発生させるためにハンドセットに搭載されたアラート手段と、
b)前記アラート手段を駆動し、ソフトフォンアプリケーションと関連するユーザーコンタクトリストに存在するコンタクトのステータスの変動に対応してオンラインステータスアラートを発生させるドライバー手段と、
を含んでいることを特徴とするシステム。
【請求項２】
アラート手段はユーザーが知覚可能な光源を含んでいることを特徴とする請求項１記載のシステム。
【請求項３】
アラート手段はユーザーが知覚可能な音源を含んでおり、少なくとも１名のユーザーが選択したコンタクトのために音声アラートを発生させることを特徴とする請求項１記載のシステム。
【請求項４】
少なくとも１つのメッセージサービスプロバイダーと通信状態にあるインターネットインターフェースデバイスで作動するソフトフォンアプリケーションにおいて運用可能な通信デバイスでステータスアラートを発生させる方法であって、前記通信デバイスは、ユーザー知覚アラート手段と、キーパッドと、ソフトフォンアプリケーションで創出されるコンタクトリストを表示するディスプレーとを含んだ電話型ハンドセットを有しており、本方法は、
a)それぞれのメッセージサービスプロバイダーのためにユーザーコンタクトリストを処理するステップと、
b)オンライン状態にあるそれぞれのコンタクトに対して、そのコンタクトが新オンラインコンタクトステータスを有しているか否かを判定するステップと、
c)新オンラインステータスを有した各コンタクトに対して、アラート手段に対するユーザー指定ステータスアラートを提供するステップと、
を含んでいることを特徴とする方法。
【請求項５】
ステータスアラートを提供するステップはユーザーが知覚可能な光源で提供されることを特徴とする請求項４記載の方法。
【請求項６】
ステータスアラートを提供するステップは音源により提供される音声アラートで提供されることを特徴とする請求項４記載の方法。
【発明の詳細な説明】
【技術分野】
【０００１】
本発明は一般的に電話ハンドセット（送受話器）に関する。特には、本発明は、回路交換電話ネットワークへのコールをブリッジするためのオプション式標準回路交換電話インターフェースによる、ボイスオーバーＩＰソフトウェアクライエント(Voice over IP software client)との双方向処理のためのパーソナルコンピュータ（ＰＣ）への接続を提供する電話ハンドセットに関する。
【背景技術】
【０００２】
ボイスオーバーインターネットプロトコル（ＶｏＩＰ:Voice over Internet Protocol）電話サービスは急速に拡大している市場であり、いくつもの会社がユーザーに対して、他のＶｏＩＰカスタマー及び標準電話ネットワークのユーザーに電話をかけさせる標準パケットベースのインターネット接続を提供している。
【０００３】
多くのＶｏＩＰサービスプロバイダーがネットワークハードウェアを含むＶｏＩＰフォンを利用しており、イーサーネットネットワーク(Ethernet（登録商標） networks)に接続し、続いてインターネットに接続される。これらハードウェアソリューションは大抵のユーザーが慣れ親しんでいるインターフェースを提供し、数字による単純ダイヤル操作をさせる。しかし、これらハードウェアソリューションは、その多くが有料である、電話接続をサポートする特定サービスの利用を要求する。
【０００４】
ＶｏＩＰスペースの別部分ではソフトフォンはユーザーに電話をかけさせるために利用されている。ソフトフォンはパーソナルコンピュータで実行されるアプリケーションであり、パーソナルコンピュータに接続されたマイクロフォンから音声信号を受信する。ソフトフォンアプリケーションは受信したオーディオ信号をデジタル化し、ＶｏＩＰネットワークで電話の相手に送信する。受信された音声はコンピュータのオーディオ出力で流される。これらアプリケーションはしばしばフィードバックを防止するために音響的にマイクロフォンとスピーカとを互いに分離するヘッドセットで使用される。
【０００５】
ソフトフォンアプリケーションはしばしばソフトフォンアプリケーションに電話をかけさせるコンタクトリスト（俗にバディリストと呼称）と組み合わされる。これらアプリケーションの多くはインスタントメッセンジャー（ＩＭ）アプリケーションと一体化されている。その結果、ユーザーはコンタクトリストを見て、どのコンタクトが現在オンライン状態であるか知ることができ、ＶｏＩＰ電話を受領することができる。もしコンタクトインフォメーションがコンタクト相手に対して代わりのコール番号を含んでいるなら、通話を完成させるためにパブリック交換電話ネットワーク（ＰＳＴＮ）に切り替えることでコールをオフラインコンタクト状態にすることができる。
【発明の開示】
【発明が解決しようとする課題】
【０００６】
ソフトフォンアプリケーションは普通に利用される。低コスト電話を提供するからである。しかしユーザーは使用するアプリケーションが作動しているコンピュータの近くにいなければならない。多くの場合、このアプリケーションを使用したければユーザーは部屋から出ることはできない。これでアプリケーションの利用性は低下する。なぜならユーザーはコンピュータを持ち運ばない限り一箇所に縛られるからである。これは多くのユーザーにとって不便である。さらに多くのユーザーは標準型の電話ハンドセットを使い慣れているので、電話をするためのヘッドセットを不快に感じる。
【０００７】
よってソフトフォンアプリケーションへの接続を維持しながらユーザーに機動性を与え、ユーザーに快適なインターフェースを与えるシステムを提供することが望まれている。
【課題を解決するための手段】
【０００８】
本発明の１目的は、前述の弱点の少なくとも一部を解消することである。
【０００９】
本発明の第１の特徴によれば、本発明は以下のごときソフトフォンアプリケーション用のインターフェースを提供する。
【００１０】
本発明は、ソフトフォンアプリケーションとインターフェースするためにコンピュータに接続できる無線電話型ハンドセットを提供する。例えば、ワールドワイドデジタルコードレステレコミュニケーションズ（ＷＤＣＴ:Worldwide Digital Cordless Telecommunications）またはデジタルエンハンストコードレステレフォン（ＤＥＣＴ:Digital Enhanced Cordless Telephone）基準のごとき従来のプロトコル基準を使用した９００ＭＨｚ、１．９ＧＨｚ、２．４ＧＨｚまたは５．８ＧＨｚバンド（帯域）でのごとき標準電話無線接続を利用することでコードレス電話インターフェースをユーザーに提供することができる。無線電話ハンドセットは、一般的にソフトフォンアプリケーションと呼称されるＶｏＩＰクライエントを作動させているパーソナルコンピュータ（ＰＣ）のごときインターネットインターフェースデバイスとカップリングした無線ベースステーションと通信する。このインターネットインターフェースデバイスは、例えばプラグインや、ハンドセット及びベースステーションのＰＣソフトフォンアプリケーションとの相互作用を提供するデバイスドライバーなどのソフトウェアインターフェースを作動させるプラットフォームを提供する。パーソナルコンピュータへのベースステーション接続はユニバーサルシリアルバス（ＵＳＢ）接続、または一般的にファイヤワイヤー（商標）接続と呼称されるＩＥＥＥ１３９４接続のような標準インターフェースを利用する。当業技術者であれば理解しようが、例えば、ブルーツース（商標）のごとき無線接続のようなコンピュータとベースステーションとの間の他の標準及び特殊接続が本発明のスコープ内で活用可能である。
【００１１】
ハンドセットは音声入力と音声出力のために使用され、ソフトフォンアプリケーションを利用して電話をかけたり受けたりする。これでユーザーの機動性が確保され、ハンドセットがベースステーションの利用範囲内でさえあれば、ソフトフォンアプリケーションを利用して電話中、あるいは電話をかけたり受けたりする際にユーザーはコンピュータから離れることができる。さらに、ソフトフォンアプリケーションに共通なインターフェース問題に、ユーザーに対して普通で快適なインターフェースを提供することで対処できる。ベースステーションはコードレスフォンでは普通である大型ベースステーションでなくとも構わず、小型の“ドングル”デバイスでよい。ベースステーションとしての小型ドングルデバイスを使用した実施例では、ハンドセットコンポーネントは使い捨て電池式でも、外部電源を使用した充電式でもよい。さらに大型のベースステーションの実施例では、ハンドセットは外部電源式でも、ＵＳＢ接続等のインターフェースを介したコンピュータ接続により提供される電力を利用してもよい。
【００１２】
本発明のハンドセットは、ソフトフォンアプリケーションと相互作用するディスプレーを内蔵しており、ユーザーのコンタクトリストを更新させ、現況を維持し、画面に表示させる。アルファベットジャンプ手段を利用するか、単純な指示入力手段を利用してユーザーはコンタクトリストからコンタクト（相手）を選択でき、ハンドセットで電話をかけることができる。さらに、電話先表示技術はユーザーに電話をかけている人物に関する情報を示す。ハンドセットにはかかってくる電話に応答したり、応答拒否する機能も装備できる。ハンドセットをソフトフォンアプリケーションと相互作用させてコンタクトリストを表示し、コンタクトリストの他のユーザーに電話をかけたり電話を受けることで、ユーザーはＶｏＩＰネットワークとの接続を維持しつつコードレスフォンの有効範囲内で自由に動き回れる。その結果、ユーザーはソフトフォンアプリケーションの標準的欠点の多くを経験せずにパブリック交換電話ネットワーク（ＰＳＴＮ）による通信の代わりにＶｏＩＰを利用することができる。
【００１３】
別の特徴では、本発明はユーザーのコンタクトリストすなわちバディリストの個人に関してユーザーにアラートを構築させるコンタクトステータスアラートインディケータを内蔵する。このステータスアラートインディケータは、ユーザー知覚アラートをコンタクトリストあるいはバディリストからユーザーが選択するコンタクト（相手）のために構築することができる。ユーザー知覚アラートは可視及び/又は可聴インディケーションとすることができ、コンタクトがオンライン状態にあり、話すことができることを表示する。ユーザーが、例えば、ＭＳＮメッセンジャー（商標）、スカイプ（商標）、ヤフー！メッセンジャー（商標）のごときくつかのメッセージサービスを享受しているとき、メッセージサービスの選択されたコンタクトまたはバディ（仲間）のオンライン出現はコンタクトのステータスアラートインディケータを起動させ、そのコンタクトに対するユーザー知覚アラートを発生させる。ユーザーによる１つのメッセージサービスのみの利用の場合には、選択されたバディまたはコンタクトがそのメッセージサービスにオンラインで現れたときに知覚アラートを起動させる。知覚アラートは可視アラート及び/又は可聴アラートを含む。可視アラートはハンドセットのアラートインディケータの光源により提供される。光色の多様性と発光方法、例えば、単色光、反復的連続変光のごとき光色の多様性や、明滅、フラッシュ、特定のフェード速度によるフェード等の光度の変動が利用できる。フェード速度は同一または独立的で、フラッシュまたは反復速度等はユーザーが設定し、独特な可視アラートを利用して特定コンタクトを表示し、あるいは特定メッセージサービスの特定コンタクトを表示する。
【００１４】
知覚アラートは音源で提供される可聴アラートも含むことができる。可聴アラートは、ベースやハンドセットの音源からのトーン、リング音、レコーディング等を含む。音響の変化は特定のコンタクトまたは入ってくる特定のメッセージの特定コンタクトを示す特定の音響アラートを発生させるようにアレンジできる。
【００１５】
本発明の別実施例ではベースステーションはコンピュータ接続に加えてＰＳＴＮ接続を含んでいる。ＰＳＴＮ接続は標準電話サービスとインターネット電話サービスの両方でハンドセットを使用させる。リストの各コンタクトは自身が好む接続法を選択することができ、長距離のコンタクトはまずＶｏＩＰ接続を試みることができ、ＶｏＩＰ接続が失敗したときにＰＳＴＮ接続を試みることができる。あるいは、近距離のコールエリアのユーザーは、ＰＳＴＮ接続が使用中でない限り、ＰＳＴＮ接続を使用してコンタクトすることができる。使用中の場合には接続はＶｏＩＰネットワークで試行される。
【００１６】
ハンドセットの双利用性はさらなる特徴を提供する。ロジックがベースステーションに提供でき、かかってくる電話をＶｏＩＰネットワークで受けさせて、ハンドセットが切られていたら、あるいはユーザーが電話を転送するように設定していたら有線電話番号または携帯電話番号に電話を転送させる。これでユーザーにＶｏＩＰコールを受領させ、携帯電話番号に転送させ、長距離電話コーラーにＶｏＩＰ接続を利用させ、ＰＳＴＮ電話番号に接続させる。他の利点には、アンサー機能付き電話番号に電話を転送させ、ＶｏＩＰ電話コーラーにユーザーのためのメッセージを残させることができ、ＶｏＩＰとＰＳＴＮネットワークをブリッジして会議電話を設定することができる。ベースステーションにはアンサー機能を装備させ、１つのステーションでＰＳＴＮとＶｏＩＰの両方のコーラーにユーザーのためのメッセージを残させることができる。
【００１７】
電話転送の利用はＰＳＴＮからＶｏＩＰネットワークでも可能であり、全てのかかってくるＰＳＴＮコールは１つのＶｏＩＰアカウントに集中され、ユーザーに外出を可能にし、家庭の電話番号への電話を遠隔コンピュータシステムで受信させる。電話転送はダイヤルしている人に基づいて選択され、電話表示または他のコーラー識別情報を、電話が転送されるか否かの判定や、転送されるならどの番号に転送されるかを知るのに使用できる。
【００１８】
当業技術者であれば理解しようが、ハンドセットとベースステーションはＵＳＢ（または他の）接続を介してＰＣでソフトフォンアプリケーションと通信する。ハンドセットとベースステーションはユーザーステータス（オンライン、話中、等々）とコンタクトリストの両方のためにソフトフォンをポーリングする。ステータスとコンタクトリストは両方ともハンドセットで表示できる。ハンドセットにはまたユーザーにソフトフォンアプリケーションからログアウトさせ、別のユーザーとしてログインさせる機能が提供される。１つのシステムで作動できる複数のソフトフォンアプリケーションに対しては、ハンドセットは全てのユーザーのコンタクトを表示することができ、異なるリストを特定するためにオプションで異なるマークを提供することができる。別実施例では異なるリストが別々にアクセスできる。１好適実施例では、電話の画像表示は全体的または部分的にＰＣ上でソフトフォンインターフェースを複製できる。好適にはハンドセットはソフトフォンから音声データのみを引き出し、他のＯＳ音声または他のアプリケーションサウンドを濾過することができる。
【００１９】
ハンドセットはユーザーとソフトフォンとの間でＨＩＤ(Human Interface Device)として実行システムにモデル化できる。ユーザーにソフトフォンアプリケーションのさらに向上したコントロールを提供するため、ハンドセットとＰＣとの間で音声出力/入力をトグル処理するのにコンピュータキーボード上のクイックキーが使用できる。もしハンドセットが電話帳を保存する機能を含んでいると、それはコンピュータ上でソフトフォンまたは他のアプリケーションとシンクロさせることができ、他の標準型電話の場合と同様にかかってくる電話者情報を保存させる。当業技術者であれば理解しようが、ダイヤルトーンと話中トーンはＶｏＩＰネットワークの使用において類似させることができ、ユーザーに違和感のないサービスを提供できる。
【００２０】
１好適実施例では、製品はスクリーン（好適にはカラー）付きコードレスハンドセット、接続部（ＵＳＢ接続部等）付きベース及びオプションで電話ラインインターフェースを含む。ハンドセットとベースはソフトフォンアプリケーションまたはソフトフォンアプリケーションプラグインのごときＰＣで作動するソフトウェアと相互作用する。そのようなソフトフォンアプリケーションの例には、マイクロソフトメッセンジャー（商標）、ヤフー！メッセンジャー（商標）及びスカイプ（商標）が含まれる。音声信号、“バディリスト”更新、ステータス及びコントロール信号がＰＣとベースステーション/ドングルとの間にＵＳＢ接続で送られる。ベースステーション/ドングルは適当な情報をフォーマット処理し、それを無線でハンドセットに送って処理し、表示する。よってユーザーはソフトフォンアプリケーションとの接続状態を維持しながらハンドセットの無線範囲で動き回れる。
【発明を実施するための最良の形態】
【００２１】
本発明の好適実施例を図面を利用して解説する。図１は本発明の要素の機能ブロック図であり、本発明の要素には充電ステーション１０２内に収納されている無線ハンドセット１００が含まれる。無線ハンドセットは充電のため、使用されていないときには充電ステーションに置かれる。無線ハンドセットは、無線電話ハンドセット通信のための、例えばワールドワイドデジタルコードレステレコミュニケーション（ＷＤＣＴ）またはデジタルエンハンストコードレステレフォン（ＤＥＣＴ）スタンダードである適当なデジタルエンコードプロトコルを使用して９００ＭＨｚ、１．９ＧＨｚ、２．４ＧＨｚまたは５．８ＧＨｚバンドで標準無線コネクションを利用して無線通信チャンネル１０６でベースステーション１０４と通信する。無線チャンネルでのハンドセットとベースステーションとの間の通信は双方向であり、音声信号とコントロール及び管理信号の両方を含み、ハンドセットとベースステーションとの間の電話コントロール情報と管理信号を交換し、無線ハンドセット１００のユーザーとの音声通信を提供する。ベースステーション１０４はインターネットインターフェースデバイス１０８にカップリングされており、本好適実施例では、例えば、モニターとキボードのごとき入力デバイス１１２のような出力ディスプレー１１０を有した別体のパーソナルコンピュータ（ＰＣ）として図示されている。ベースステーション１０４とインターネットインターフェースデバイス１０８との間の通信はワイヤーラインカップリング１１４で提供され、好適には、ユニバーサルシリアルバス（ＵＳＢ）接続のごとき標準インターフェースで、あるいはハンドセットとベースステーションとの間及びインターネットインターフェースデバイス１０８のコールコントロールと管理信号の交換を提供するＩＥＥＥ１３９２接続で行われる。１好適実施例では、ワイヤーラインカップリングはベースステーション１０４に電力を供給し、ベースステーション用の電力供給源またはバッテリーは不要である。インターネットインターフェースデバイス１０８はコンピュータプラットフォームを提供して、インターネット１１６でＶｏＩＰ通信を提供する。インターネットインターフェースデバイスＶｏＩＰはＶｏＩＰサービスプロバイダー１１７の特徴に基づき、いくつかの形態の１つを採用することができ、ＶｏＩＰサービスをハンドセット１００のユーザーに提供する。パーソナルコンピュータで実行するためのクライエントソフトウェアを提供するのに利用できる普通のＶｏＩＰサービスはスカイプ（商標）、ＭＳＮメッセンジャー（商標）及び多数の他の形態を含む。
【００２２】
無線ハンドセット１００は、パワーオンボタンとパワーオフボタン、メニューボタンとセレクトボタン並びにダイヤル番号入力ボタン０から９、デュアルトーン多周波数（ＤＴＭＦ:dual tone multifrequency）タッチトーン電話に普通であるオクトソープとアステリスクのような管理機能キーを含んだキーパッド１１８を提供する。このように従来型ハンドセットがユーザーに提供され、インターネットでＶｏＩＰ電話が使用される。無線ハンドセットは画像ディスプレー１２０も含む。これはソフトウェアコントロール下にて無線ハンドセット１００で作動するアプリケーションによって設計され、経時的に変更する出力を提供する。例えば、ディスプレー１２０は、ユーザーがスカイプソフトフォンクライエントをＰＣで操作しているとき、パーソナルコンピュータの出力ディスプレーに従来式にて現れるバディリストに対応する画像ディスプレーを使用してスカイプユーザーのバディリスト及び彼らの現行ステータスを表示することができる。好適にはアラートインディケータ１２１がハンドセットに提供され、ユーザーに可視的に知覚できるアラートを提供する。１好適実施例ではアラートインディケータ１２１は発光ダイオード（ＬＥＤ）であり、さらに好適には多色ＬＥＤ構造体であり、青、緑、赤など様々な色彩で発光できる。アラートインディケータ光源はユーザーに対して、システムパワーアップ、充電中、充電完了、電話呼び出し、ハンドセット呼び出し、メッセージ待機中、及び、例えば、バディリストのコンタクトがオンライン状態であり、コンタクト可能であるというようなバディリストステータス変更通知等のアラートを提供する。
【００２３】
ハンドセットはマイクロフォン１２２とイヤフォン１２４も含み、ユーザーが慣れ親しんでいる従来方法でユーザーに無線ハンドセットを利用させる。
【００２４】
図２はインターネットインターフェースデバイス１０８で作動するソフトウェアアプリケーションの１好適実施例におけるコンポーネントの機能ブロック図であり、パーソナルコンピュータ（ＰＣ）として具現化されている。パソコン（ＰＣ）は図１のＵＳＢワイヤーラインカップリング１１４で電力を供給し、通信するのに使用されるＵＳＢインターフェース１５０を含んでいる。ＰＣは例えばウィンドゥズ２０００またはウィンドゥズＸＰのごときマイクロソフト社が提供するウィンドゥズ（商標）作動システムの１バージョンのような運用システムプログラムを作動させる。この運用システムは、ヒューマンインターフェースデバイスドライバー（ＨＩＤ:human interface device driver）１５２並びに双方向ＵＳＢオーディオドライバー１５４を含んだＵＳＢインターフェース１５０と相互作用するドライバー機能性を提供するソフトウェアを設計して運用するフレームワークを提供する。ＵＳＢブリッジアプリケーション１５６は、スカイプ、ヤフーメッセンジャー及びＭＳメッセンジャーが例示的に図示されるＶｏＩＰソフトクライエント１５８とのＵＳＢインターフェース１５０の相互作用をコントロールする。ソフトフォンクライエント１５８はＰＣインターネットインターフェースデバイスで作動する選択されたソフトフォンクライエントに対応するＶｏＩＰサービスの他のユーザーとのインターネット１１６によるメッセージまたは電話の授受をコントロールして提供する。
【００２５】
図３は、インターネットインターフェースデバイス１０８と無線ハンドセット１００との間で通信を提供するベースステーションの機能性をコントロールしてサポートするために、ベースステーション１０４に提供されたコンピュータプロセッサーで作動可能なソフトウェアアプリケーションのコンポーネントの機能ブロック部である。ベースステーションはベースステーションの要素の作動をコントロールしてコーディネートするコールコントロールタスクを作動させる。一連のＲＦ(radio frequency)機能１７２、１７４、１７６は、ベースとハンドセットとの間での通信に使用される、無線チャンネル１０６である選択された無線メディアで必要とされる特定のプロトコルドライバーメカニズムとＲＦインターフェースをサポートする。図３で示す特定実施例では、欧州ＤＥＣＴ基準がＤＥＣＴプロトコルソフトウェアファンクションまたはアプリケーション１７２、ＤＥＣＴＲＦソフトウェアファンクションまたはドライバー１７４及びＤＥＣＴＲＦインターフェースデバイス１７６の手段で実行されている様子を示す。当業技術者であれば理解しようが、他の無線プロトコルでも、例えばデジタルスプレッドスペクトル（ＤＳＳ:digital spread spectrum）アプリケーションと、９００ＭＨｚ、１．９ＧＨｚ、２．４ＧＨｚまたは５．８ＧＨｚの通信チャンネルメディアのごとき類似したアプリケーションとインターフェースデバイスを提供することで実行できる。ユーザーインターフェースタスク１７８はコールコントロールタスクと通信し、ベース１０４でユーザー機能性を提供する。例えば、好適にはベースは、ユーザーに操作されてハンドセットに可聴信号を発生させ、ハンドセットの位置を知らせるページスイッチ１８０を含む。ページスイッチはスイッチドライバーアプリケーション１８２でモニターされ、ページスイッチ位置をユーザーインターフェースタスク１７８に中継する。同様に、好適には、ベースはコールコントロールタスク１７０が運用するインユースインディケータ(in-use indicator)１８４をＬＥＤの形態で含み、ハンドセットが使用中か否かをベース上で視覚的に表示する。ワイヤーラインインターフェース１８６が、ベースをインターネットインターフェースデバイスに接続するワイヤーラインカップリング１１４に接続するために提供される。
【００２６】
好適実施例では、ワイヤーラインインターフェース１８６はユニバーサルシリアルバス（ＵＳＢ）インターフェースである。それはベースにインターネットインターフェースデバイス１０８からの電力を受領させ、インターネットインターフェースデバイスとベースとの間で双方向通信を提供する。インターネットでＶｏＩＰプロトコルを使用して音声信号によりユーザー通信を可能にし、オフフック、オンフック及びリングトーン、ダイヤルトーン機能性のごときコールコントロール信号の取扱いを可能にする。あるいはインターネットインターフェースデバイスで作動するソフトフォンクライエントアプリケーションとのバディリスト更新の交換が可能である。ワイヤーラインインターフェース１８６は、ベースとインターネットインターフェースドライブとの間で延びるワイヤーラインカップリングの特定メディアのために手直しされ、書き込まれたハンドラーとドライバーアプリケーション１８８でコントロールされる。図３で示すこの特定実施例では、ＵＳＢドライバーとコマンドハンドラーは、ＵＳＢタイプまたはワイヤーラインインターフェース１８６の振る舞いのコントロールに提供される。
【００２７】
図４は本発明のハンドセットの構造を図示する機能ブロック図であり、無線ハンドセット１００のコンピュータシステムで作動するアプリケーションのための機能ブロック図を含む。このハンドセットはハンドセットのユーザー操作と、図１で示すような無線チャンネル１０６によるベースとハンドセットとの間の通信をコーディネートするコールコントロールタスク２００を有している。このハンドセットは、液晶ディスプレーである（ＬＣＤ）ハンドセット画像ディスプレー１２０でユーザーに提供される情報を、ユーザーインターネットタスクとＬＣＤドライバーとの間の通信によってコーディネートするユーザーインターフェースタスク２０２を含む。ハンドセットはユーザーインターフェースタスク２０２によるコントロール下で、ＬＥＤドライバーによって駆動されるＬＥＤのごとき光インディケータ１２１をさらに含む。ハンドセットキーパッド１１８のユーザー操作は、関連キーパッドドライバー手段でユーザーインターフェースタスク２０２と通信状態にある。このように、キーパッドとＬＣＤ上のハンドセットへのユーザー入力とハンドセットからのユーザー出力はハンドセットでコーディネートされる。ハンドセットは本好適実施例ではバッテリーパワーであり、パワーコントロールデバイス２０４が充電ステーション１０２とハンドセットに内蔵されたバッテリーとの間で必要な電気カップリングを提供する。バッテリー交換をコントロールし、ユーザーにバッテリーの充電残量を知らせるため、好適には電力管理タスク２０６がハンドセットにソフトウェアアプリケーションとして含まれる。ハンドセットのマイクロフォンとイヤフォンへの通信は、ハンドセットを介した音声信号をコントロール及びサポートするデジタル信号処理ドライバー（ＧＤＳＰ）でコントロールされる。ベースとハンドセットとの間のＲＦ信号は一連のＲＦアプリケーション２１０、２１２、２１４でサポートされる。図４で示す実施例では、ＤＥＣＴプロトコルはＤＥＣＴプロトコルアプリケーション２１０の手段で実行され、ＤＥＣＴＲＦドライバーアプリケーション２１２はＤＥＣＴＲＦインターフェース２１４を介した信号通信をコントロールする。
【００２８】
図５はベース１０４の実施例の平面図である。ベースはアンテナ装置を含み、無線チャンネル１０６での通信と、ワイヤーラインコネクター１８６による通信をサポートし、ワイヤーラインカップリング１１４とインターフェースする。好適には、インユースインディケータライト１８４のごときインディケータライトとベースパワーインディケータ２２０はベースステーション上に提供される。
【００２９】
図６は本発明の原理に基づいて構築された無線ハンドセット１００の１好適実施例の側面図である。ハンドセットはアンテナを含み、ハンドセットとベースステーション１０４との間で音声情報及びコントロール情報を交換させる無線チャンネル１０６とカップリングする。画像ディスプレー１２０はバディリストの現状またはユーザーが運用するＶｏＩＰアプリケーションの他のユーザーの視覚インディケーションを含む。例えばユーザーハンドセットはディスプレーでオンライン状況にて表示され、例示的バディ“緑(away)”が１２０のディスプレー領域に図示されている。当業者であれば理解しようが、画像ディスプレー１２０は普通のカラーディスプレーを提供し、ハンドセット１００のＶｏＩＰサービスとインターフェース機能性のアプリケーションデベロッパーが望むように画像要素またはテキスト特性を示すべく設計できる。従って、ここで説明する例はハンドセットの画像ディスプレー１２０で表示ができる情報の１形態を示すだけである。
【００３０】
ハンドセットのアラートインディケータ１２１はユーザーに対して視覚的に認識できるアラートを提供する。好適には、アラートインディケータ１２１は多色ＬＥＤ構造体であり、様々な色の光を発光する。光源の１利用法は、ユーザーバディリストのコンタクトがオンライン状態になったとき視覚アラートが提供される。視覚アラートの特徴はユーザーが設計できることである。これでユーザーはユニークな視覚合図をユーザーが望むように各コンタクトに対して準備できる。例えば、色彩のバリエーションと、明滅フラッシュ、フェード及び可変反復速度のような作動法を利用してオンラインステータスアラートを提供することができ、特定のコンタクトまたは特定メッセージサービスの特定コンタクトがオンライン状態となっていることを知らせる。さらに、聴覚認識オンライン状況アラートを追加的または代用としてイヤフォン１２４のごときハンドセットの音源手段によってユーザーに提供することもできる。トーン、リングトーン、その他のユーザー設計による可聴アラートが使用でき、特定のコンタクトまたは特定のメッセージサービスのコンタクトがオンライン状態にあることを示す。よって、音または光を含んだユーザー知覚アラートによってユーザーに特定コンタクトがオンライン状態にあることを知らせるインディケーションを提供するように設計できる。
【００３１】
図７はベースステーションの好適実施例で含まれるハードウェア要素の機能ブロック図である。ベースステーションはベースバンドプロセッサー１９２と、図３に関して詳述するようにベースをコントロールするソフトウェアアプリケーションを保存するコンピュータデバイスとメモリーデバイス１９４を有している。プロセッサー１９２はインユースＬＥＤ１８４とパワーＬＥＤ１９０を起動させるために出力を有し、ページスイッチ１８０から入力を受領する。プロセッサーはＲＦインターフェースモジュール１７６と通信し、ＲＦインターフェースの運用を図３に関する説明で言及したプロトコルドライバーとインターネットインターフェースアプリケーション１７２、１７４、１７６を使用してコントロールする。アンテナ１９４はＲＦインターフェースモジュールを無線チャンネル１０６にカップリングさせる。ＵＳＢインターフェース１８６はプロセッサー１９２とＵＳＢインターフェースとの間でコントロール信号と通信信号を交換するためにプロセッサー１９２と通信状態にあるＵＳＢコントローラ１８６を有している。ＵＳＢコントローラ１９５は、パワースパイク、静電気等々の外部インパルスがベースの集積回路要素を干渉または破壊しないようにフィルター保護デバイス１９６に信号を送る。図１で示すようにコネクター１９７はベースとワイヤーラインカップリング１１４との間で接続を完成させる。
【００３２】
ＰＳＴＮインターフェース２２０はプロセッサー１９２と通信状態にあるＰＳＴＮコントローラ２２２を含む。ＰＳＴＮコントローラはデータターミナル装置（ＤＴＥ）を提供し、ベースをパプリック交換電話ネットワーク（ＰＳＴＮ）１０１にカップリングする。ＰＳＴＮコントローラはパブリック交換電話ネットワーク１０１に、ＰＳＴＮコントローラ２２６に存在するであろう電圧スパイクまたは静電気からベースデバイスを絶縁するフィルタープロテクター２２４を通ってカップリングされている。
【００３３】
図８は本発明の原理に従って構築されたハンドセットの好適実施例によるコンポーネントの機能ブロック図である。このハンドセットはベースバンドプロセッサー２５０を含んでおり、コンピュータプラットフォームを提供し、図４でさらに詳細に解説したアプリケーションと機能とを実行する。電気的消去可能プログラム可能読み取り専用メモリー（ＥＥＰＲＯＭ:Electrically Erasable Programmable Read Only Memory）がプロセッサー２５０とカップリングされており、無線ハンドセットを運用するソフトウェアの保存に使用される。ＲＦインターフェースモジュール２１４はプロセッサー２５０及びハンドセットアンテナ２５４に接続され、ハンドセットとベースとの間で無線チャンネル１０６を介した通信を可能にする。ハンドセットが充電ステーション１０２に置かれると、充電ステーションから充電コントロールセンター２５６に接続が確立され、プロセッサー２５０からのコントロールの下でハンドセットバッテリーを充電する。オプションでキーパッド１１８には暗環境でハンドセットキーパッドの使用を可能にするキーパッドバックライト２５８が提供される。さらに、ハンドセットにはフリーハンド型スピーカ２６０とヘッドセットコネクター２６２とが提供され、ハンドセットに通常搭載されているイヤフォン１２４やマイクロフォン１２２とは別な追加要素を介してハンドセットから音声入出力を提供する。アラートインディケータ１２１の光源はプロセッサー２５０で駆動されてハンドセットユーザーに視覚アラートを提供する。プロセッサー２５０はアラートインディケータ光源を駆動し、システムパワーアップ、充電中、受電終了、電話呼び出し、ハンドセット呼び出し、メッセージ待機、バディリストオンラインステータス変更通知のごときアイテム用としてユーザーアラートを発生させる。例えば、視覚オンラインステータスアラートを発生させ、バディリストのコンタクトがオンライン状態にあり、コンタクト可能であることを知らせる。さらにプロセッサー２５０はイヤフォン１２４またはフリーハンド型スピーカ２６０を駆動して音声オンラインステータスアラートを視覚ステータスアラート１２４に加えて、あるいはその代用として提供するように設計できる。音声アラートはユーザー設計式であり、トーン、リングトーンまたは他のユーザー提供レコーディングを利用して特定コンタクトあるいは特定メッセージサービスの特定コンタクトがオンライン状態にあることを知らせる。よって、音または光を含んだユーザー知覚アラートはユーザーに特定コンタクトがオンライン状態になったことを知らせるように設定できる。
【００３４】
図９はコンタクトオンラインステータスアラートを発生させる例示アルゴリズムのフロー図である。そのアルゴリズムは、電話ベースまたはハンドセットで可視及び/又は可聴アラートを提供するようにプロセッサー１９２及び２５０で作動するユーザーインターフェースタスク内で実行できるコンピュータプロセスシーケンスを図示する。ユニットパワーアップにより、そのアルゴリズムはスタートプロセスボックス３００によって示されるごとく行使され、ユーザーのコンタクトリストまたはバディリストの個人のコンタクトステータスアラートの提供を開始する。ユーザーは、オンラインステータスアラートが誰に対して提供されるかを設定できる。ユーザー設定は各コンタクトに対してデシジョンボックス３０２で示されたようにチェックされる。ユーザーがステータスアラートを提供するようにコンタクトを設定すると、通知プロセス３０４が実行され、そのコンタクトに対してユーザーが選択したステータスアラートを発生させる。通知プロセスによって実行されたユーザー知覚アラートは、コンタクトがオンライン状態になり、話すことができることを知らせる可視及び/又は可聴インディケーションを発生させる。外部プロセスループ３０６が反復的にサイクルされ、メッセージサービスごとに、例えば、ＭＳＮメッセンジャー、スカイプ、ヤフー！メッセンジャー等のいくつかのメッセージサービスに関与するユーザーコンタクトの世話をする。内部プロセスループ３０８が処理中の特定メッセージサービスの各コンタクトに対して実行される。そのメッセージサービスのコンタクトまたはバディの出現は３１０でチェックされ、新オンラインステータスが通知要請テスト３０２に対して出現し、ユーザーがステータスアラートのためにコンタクトを設定したか否かを判定する。もしコンタクトが新オンラインステータスを有していなければ、ループ３０８の次のコンタクトが次に処理される。もしハンドセットユーザーが１つのメッセージサービスのみに関与すると、外部ループ３０６はそのメッセージサービスに対して反復的に実施され、そのメッセージサービスで選択されたバディまたはコンタクトが出現あるいはオンライン状態になると、ユーザー知覚アラートが発生する。
【００３５】
ユーザーが各コンタクトを設定しているとき、ユーザーは知覚アラートに可視アラート及び/又は可聴アラートを含ませることができる。可視アラートはステータスインディケータ１２１で提供される。これはハンドセットの光源である。点滅、フラッシュ、フェード、フラッシュ速度または反復速度等の光色と作動法の多様性は特化でき、特定の可視アラートを使用して特定コンタクトまたは特定メッセージサービスの特定コンタクトがオンライン状態であることを知らせる。
【００３６】
前述の解説において、本発明の理解を助けるべく詳細が解説された。しかし、それら特定の詳細は必ずしも本発明の実施に必須ではない。よく知られた電気構造と電気回路が本発明を明確にするためにブロック図の形態で示されている。例えば、本発明の実施例がソフトウェアルーチン、ハードウェア回路、ファームウェア、またはそれらの組み合わせとして実行されるか否かに関しては詳細は提供されていない。
【００３７】
本発明の実施例は機械読み取り媒体（コンピュータ読み取り媒体、プロセッサー読み取り媒体、コンピュータ読み取り可能プログラムコードを有したコンピュータ利用媒体とも呼称）に保存されたソフトウェア製品として解説されている。機械読み取り可能媒体はどのような磁気、光学または電気的保存媒体でもよく、ディスケット、コンパクトディスク読み取り専用メモリー（ＣＤ−ＲＯＭ）、メモリー装置（揮発性あるいは非揮発性）又は類似保存媒体である。機械読み取り媒体は様々なインストラクション、コードシーケンス、設定情報、または他のデータを含むことができる。それらは実行されると、プロセッサーに本発明の実施例で示す方法のステップを実行する。当業技術者であれば理解しようが、本発明の実施のための他のインストラクションや運用も機械読み取り媒体に保存できる。機械読み取り媒体で作動するソフトウェアは解説したタスクを実行する回路を妨害するかも知れない。
【００３８】
本発明の上述の実施例は本発明の例示のみを目的とする。本発明のスコープ内でのそれら実施例の変更は可能である。
【図面の簡単な説明】
【００３９】
【図１】図１は、本発明ハンドセットとベースステーションの１実施例を図示する。
【図２】図２は、本発明インターネットインターフェースデバイスの１好適実施例におけるコンポーネントの機能ブロック図である。
【図３】図３は、本発明ＵＳＢベースステーションのコンポーネントの機能ブロック図である。
【図４】図４は、本発明ハンドセットの構造を図示する機能ブロック図である。
【図５】図５は、本発明ＵＳＢベースステーションの１好適実施例の平面図である。
【図６】図６は、本発明ハンドセットの１好適実施例の側面図である。
【図７】図７は、本発明ＵＳＢベースステーションの１好適実施例におけるコンポーネントの概略図である。
【図８】図８は、本発明に従って構成されたハンドセットの１好適実施例におけるコンポーネントの概略図である。
【図９】図９は、オンラインコンタクトスレータスアラートを発生させるための例示的アルゴリズムのフロー図である。
【図１】
2007325243.tif 000003
【図２】
2007325243.tif 000004
【図３】
2007325243.tif 000005
【図４】
2007325243.tif 000006
【図５】
2007325243.tif 000007
【図６】
2007325243.tif 000008
【図７】
2007325243.tif 000009
【図８】
2007325243.tif 000010
【図９】
2007325243.tif 000011